(57)【要約】  車載機と、該車載機にケーブルを介して接続される機器との間の通信を制御する制御装置は、ケーブルの長さを検出するケーブル長検出部と、ケーブルの長さに基づいて、車載機と機器との間の通信品質を確保するための制御を行う通信制御部とを有する。
2010137114.tif 000002
【特許請求の範囲】
【請求項１】
車載機と、該車載機にケーブルを介して接続される機器との間の通信を制御する制御装置であって、
ケーブルの長さを検出するケーブル長検出部と、
該ケーブル長検出部により検出されたケーブルの長さに基づいて、前記車載機と前記機器との間の通信品質を確保するための制御を行う通信制御部と
を有する制御装置。
【請求項２】
請求項１に記載の制御装置において、
前記通信制御部は、
前記ケーブル長検出部により検出されたケーブルの長さに基づいて、該ケーブルの電源線に供給する電源電圧を変更することにより、前記機器に接続されるコネクタにおける電源電圧を制御する電源電圧制御部
を有する制御装置。
【請求項３】
請求項１に記載の制御装置において。
前記通信制御部は、
前記ケーブル長検出部により検出されたケーブルの長さに基づいて、該ケーブルの通信線に供給する信号の増幅率を変更することにより、前記機器に接続されるコネクタにおける振幅を制御する増幅率制御部
を有する制御装置。
【請求項４】
請求項２に記載の制御装置において、
前記電源電圧制御部は、前記ケーブル長検出部により検出されたケーブルの長さに当該制御装置内部のケーブルの長さを加えた長さが、規格を満足する所定の長さを超える場合に、前記ケーブルの電源線に供給する電源電圧を変更することにより、前記機器に接続されるコネクタにおける電源電圧を制御する制御装置。
【請求項５】
請求項３に記載の制御装置において、
前記増幅率制御部は、前記ケーブル長検出部により検出されたケーブルの長さに当該制御装置内部のケーブルの長さを加えた長さが、規格を満足する所定の長さを超える場合に、該ケーブルの通信線に供給する信号の増幅率を変更することにより、前記機器に接続されるコネクタにおける振幅を制御する制御装置。
【請求項６】
請求項１に記載の制御装置において、
前記ケーブルは、該ケーブルの長さを検出するための検知線と、該検知線と接続され他端が接地された該ケーブルの長さに対応した抵抗値を有する抵抗とを有し、
当該制御装置は、
前記抵抗に電圧を印加する電源と、
該電源に接続され、他端が前記検知線に接続される第２の抵抗と、
前記電源により電圧が印加された場合に、前記抵抗に印加される電圧を測定する電圧測定部と、
前記抵抗に印加される電圧の値と、ケーブルの長さとの対応を示すテーブルと
を有し、
前記ケーブル長検出部は、前記テーブルを参照し、前記電圧測定部により測定された前記抵抗に印加される電圧に対応するケーブルの長さを求めることにより、ケーブルの長さを検出する制御装置。
【請求項７】
請求項１に記載の制御装置において、
前記ケーブルは、該ケーブルの長さを検出するための検知線を有し、該検知線は該ケーブルの長さに対応した抵抗値を有し、
当該制御装置は、
前記検知線に電圧を印加する電源と、
該電源に接続され、他端が前記検知線に接続される第２の抵抗と、
前記電源により電圧が印加された場合に、前記検知線に印加される電圧を測定する電圧測定部と、
前記検知線に印加される電圧の値と、ケーブルの長さとの対応を示すテーブルと
を有し、
前記ケーブル長検出部は、前記テーブルを参照し、前記電圧測定部により測定された前記検知線に印加される電圧に対応するケーブルの長さを求めることにより、ケーブルの長さを検出する制御装置。
【請求項８】
車載機と、該車載機にケーブルを介して接続される機器との間の通信を制御する制御装置であって、
ケーブルの長さを設定するケーブル長設定部と、
該ケーブル長設定部により設定されたケーブルの長さに基づいて、前記車載機と前記機器との間の通信品質を確保するための制御を行う通信制御部と
を有する制御装置。
【請求項９】
請求項８に記載の制御装置において、
前記通信制御部は、
前記ケーブル長設定部により設定されたケーブルの長さに基づいて、該ケーブルの電源線に供給する電源電圧を変更することにより、前記機器に接続されるコネクタにおける電源電圧を制御する電源電圧制御部
を有する制御装置。
【請求項１０】
請求項８に記載の制御装置において、
前記通信制御部は、
前記ケーブル長設定部により設定されたケーブルの長さに基づいて、該ケーブルの通信線に供給する信号の増幅率を変更することにより、前記機器に接続されるコネクタにおける振幅を制御する増幅率制御部
を有する制御装置。
【請求項１１】
請求項１又は８に記載の制御装置を有することを特徴とする車載機。
【請求項１２】
車載機と、該車載機に接続され他端が機器と接続されるケーブルとを有するシステムであって、
前記ケーブルは、
該ケーブルの長さを検出するための検知線と、
該検知線と接続され他端が接地された該ケーブルの長さに対応した抵抗値を有する抵抗と
を有し、
前記車載機は、
前記抵抗に電圧を印加する電源と、
該電源に接続され、他端が前記検知線に接続される第２の抵抗と、
前記電源により電圧が印加された場合に、前記抵抗に印加される電圧を測定する電圧測定部と、
前記抵抗に印加される電圧の値と、ケーブルの長さとの対応を示すテーブルと、
ケーブルの長さを検出するケーブル長検出部と、
該ケーブル長検出部により検出されたケーブルの長さに基づいて、前記車載機と前記機器との間の通信品質を確保するための制御を行う通信制御部と
を有し、
前記ケーブル長検出部は、前記テーブルを参照し、前記電圧測定部により測定された前記抵抗に印加される電圧に対応するケーブルの長さを求めることにより、ケーブルの長さを検出するシステム。
【請求項１３】
車載機と、該車載機に接続され他端が機器と接続されるケーブルとを有するシステムであって、
前記ケーブルは、
該ケーブルの長さを検出するための検知線
を有し、
該検知線は該ケーブルの長さに対応した抵抗値を有し、
前記車載機は、
前記検知線に電圧を印加する電源と、
該電源に接続され、他端が前記検知線に接続される第２の抵抗と、
前記電源により電圧が印加された場合に、前記検知線に印加される電圧を測定する電圧測定部と、
前記検知線に印加される電圧の値と、ケーブルの長さとの対応を示すテーブルと
ケーブルの長さを検出するケーブル長検出部と、
該ケーブル長検出部により検出されたケーブルの長さに基づいて、前記車載機と前記機器との間の通信品質を確保するための制御を行う通信制御部と
を有し、
前記ケーブル長検出部は、前記テーブルを参照し、前記電圧測定部により測定された前記検知線に印加される電圧に対応するケーブルの長さを求めることにより、ケーブルの長さを検出するシステム。
【請求項１４】
車載機と、該車載機にケーブルを介して接続される機器との間の通信を制御する制御装置における方法であって、
ケーブルの長さを検出するケーブル長検出ステップと、
該ケーブル長検出ステップにより検出されたケーブルの長さに基づいて、前記車載機と前記機器との間の通信品質を確保するための制御を行う通信制御ステップと
を有する方法。
【請求項１５】
車載機と、該車載機にケーブルを介して接続される機器との間の通信を制御する制御装置における方法であって、
ケーブルの長さを設定するケーブル長設定ステップと、
該ケーブル長設定ステップにより設定されたケーブルの長さに基づいて、前記車載機と前記機器との間の通信品質を確保するための制御を行う通信制御ステップと
を有する方法。
【発明の詳細な説明】
【技術分野】
【０００１】
本発明は、車載機、該車載機に例えばUSBを介して接続される各種機器との間の通信を制御する制御装置、及び該車載機を含むシステムに関する。
【背景技術】
【０００２】
車載機に、USB(Universal  Serial  Bus)を介して、各種の機器（以下、USB機器と呼ぶ）を接続することが行われている。車載機にはカーオーディオやカーナビゲーションなどが含まれ、USB機器にはハードディスク(HD:  hard  disk)や音楽プレイヤー、センサなどが含まれる。【０００３】
例えば、車載機は、USB制御ユニット（USB制御装置）を有する。USB制御ユニットはUSBコネクタと接続される。USBケーブルを介して、車載機の有するコネクタとUSB機器の有するUSBコネクタとが接続されることにより、車載機とUSB機器とが接続される。USBケーブルは、電源線、通信線、及びアース線を含む。【０００４】
USB制御ユニットには、USB機器に電源を供給する電源線が接続される。USB制御ユニットは、USBコネクタ及び電源線を介して、当該車載機と接続されたUSB機器に、＋5V（最大電流容量0.5A）の電源を供給する。【０００５】
USB機器は、USB制御ユニットから供給される電源により動作する。USB機器の動作保証電圧範囲は、規格に従う。一般的には、DC＋5V±5%である。該規格には、USB2.0が含まれる。
【先行技術文献】
【特許文献】
【０００６】
【特許文献１】特開２００８−３０５１４８号公報
【発明の概要】
【発明が解決しようとする課題】
【０００７】
USB制御ユニットとUSB機器との間をUSBケーブルにより接続する場合、該USBケーブルにおいて電圧降下が生じる。該USBケーブルの長さが長くなる場合には、該電圧降下により、電源ケーブルを介してUSB機器に供給される電源電圧が規格に規定されている許容値未満に低下することもある。USB機器に供給される電源電圧が低下することにより、USB機器が動作しなくなる場合がある。換言すれば、USBケーブル長に比例する線路抵抗により消費される電力により、USB制御ユニットの電源からの電源電圧が電圧降下し、USB機器の動作保証電圧＋5V±5%を満たさない場合がある。【０００８】
USB制御ユニットとUSB機器との間の最大伝送距離は、規格により規定されている。例えば、USB2.0では、最大伝送距離は5mである。最大伝送距離はUSB制御ユニットとUSB機器との間を接続するUSBケーブルの長さに相当するため、該長さを超えないように、USB制御ユニットとUSB機器とを配置する必要がある。【０００９】
しかし、車載機が搭載される車内の環境によっては、USB制御ユニットとUSB機器とを近接して配置できない場合がある。USB制御ユニットとUSB機器との間が最大伝送距離を超えることも想定される。USB制御ユニットとUSB機器との間が最大伝送距離を超える場合には、信号ケーブルにより送信される信号が減衰し、規格に規定される許容値未満の振幅となることもある。【００１０】
USB制御ユニットとUSB機器との間の距離が最大伝送距離を超える場合に、該USB制御ユニットとUSB機器との間に、リピータと呼ばれる増幅装置を設置したり、昇圧器を設置したりすることも行われている。該リピータにより信号の減衰が補償され、昇圧器により電圧降下が補償される。しかし、リピータ及び／又は昇圧器を設置することが困難である場合もある。【００１１】
本発明は、上述の点に鑑みてなされたものであり、制御ユニットと機器との間が最大伝送距離を超える場合においても、リピータ及び／又は昇圧器を必要とせずに、制御ユニットと機器との間の通信品質を確保できる制御装置、車載機及びシステム並びに方法を提供することを目的とする。
【課題を解決するための手段】
【００１２】
本制御装置は、
車載機と、該車載機にケーブルを介して接続される機器との間の通信を制御する制御装置であって、
ケーブルの長さを検出するケーブル長検出部と、
該ケーブル長検出部により検出されたケーブルの長さに基づいて、前記車載機と前記機器との間の通信品質を確保するための制御を行う通信制御部と
を有する。【００１３】
本制御装置は、
車載機と、該車載機にケーブルを介して接続される機器との間の通信を制御する制御装置であって、
ケーブルの長さを設定するケーブル長設定部と、
該ケーブル長設定部により設定されたケーブルの長さに基づいて、前記車載機と前記機器との間の通信品質を確保するための制御を行う通信制御部と
を有する。【００１４】
本車載機は、上記制御装置を有する。【００１５】
本システムは、
車載機と、該車載機に接続され他端が機器と接続されるケーブルとを有するシステムであって、
前記ケーブルは、
該ケーブルの長さを検出するための検知線と、
該検知線と接続され他端が接地された該ケーブルの長さに対応した抵抗値を有する抵抗と
を有し、
前記車載機は、
前記抵抗に電圧を印加する電源と、
該電源に接続され、他端が前記検知線に接続される第２の抵抗と、
前記電源により電圧が印加された場合に、前記抵抗に印加される電圧を測定する電圧測定部と、
前記抵抗に印加される電圧の値と、ケーブルの長さとの対応を示すテーブルと、
ケーブルの長さを検出するケーブル長検出部と、
該ケーブル長検出部により検出されたケーブルの長さに基づいて、前記車載機と前記機器との間の通信品質を確保するための制御を行う通信制御部と
を有し、
前記ケーブル長検出部は、前記テーブルを参照し、前記電圧測定部により測定された前記抵抗に印加される電圧に対応するケーブルの長さを求めることにより、ケーブルの長さを検出する。【００１６】
本システムは、
車載機と、該車載機に接続され他端が機器と接続されるケーブルとを有するシステムであって、
前記ケーブルは、
該ケーブルの長さを検出するための検知線
を有し、
該検知線は、該ケーブルの長さに対応した抵抗値を有し、
前記車載機は、
前記検知線に電圧を印加する電源と、
該電源に接続され、他端が前記検知線に接続される第２の抵抗と、
前記電源により電圧が印加された場合に、前記検知線に印加される電圧を測定する電圧測定部と、
前記検知線に印加される電圧の値と、ケーブルの長さとの対応を示すテーブルと、
ケーブルの長さを検出するケーブル長検出部と、
該ケーブル長検出部により検出されたケーブルの長さに基づいて、前記車載機と前記機器との間の通信品質を確保するための制御を行う通信制御部と
を有し、
前記ケーブル長検出部は、前記テーブルを参照し、前記電圧測定部により測定された前記検知線に印加される電圧に対応するケーブルの長さを求めることにより、ケーブルの長さを検出する。【００１７】
本方法は、
車載機と、該車載機にケーブルを介して接続される機器との間の通信を制御する制御装置における方法であって、
ケーブルの長さを検出するケーブル長検出ステップと、
該ケーブル長検出ステップにより検出されたケーブルの長さに基づいて、前記車載機と前記機器との間の通信品質を確保するための制御を行う通信制御ステップと
を有する。【００１８】
本方法は、
車載機と、該車載機にケーブルを介して接続される機器との間の通信を制御する制御装置における方法であって、
ケーブルの長さを設定するケーブル長設定ステップと、
該ケーブル長設定ステップにより設定されたケーブルの長さに基づいて、前記車載機と前記機器との間の通信品質を確保するための制御を行う通信制御ステップと
を有する。
【発明の効果】
【００１９】
開示の制御装置、車載機及びシステム並びに方法によれば、制御ユニットと機器との間が最大伝送距離を超える場合においても、リピータ及び／又は昇圧器を必要とせずに、制御ユニットと機器との間の通信品質を確保できる。
【図面の簡単な説明】
【００２０】
【図１】一実施例に従った車載機、USBケーブル、及びUSB機器が適用されるシステムを示すブロック図である。
【図２】一実施例に従った車載機のマイコンを示す機能ブロック図である。
【図３】一実施例に従った車載機における送信信号の増幅率の制御を示す説明図である。
【図４】一実施例に従った車載機における電源線に供給される電源電圧の制御を示す説明図である。
【図５】一実施例に従った車載機の動作を示すフローチャートである。
【図６】一実施例に従った車載機、USBケーブル、及びUSB機器が適用されるシステムを示すブロック図である。
【図７】一実施例に従った車載機、USBケーブル、及びUSB機器が適用されるシステムを示すブロック図である。
【図８】一実施例に従った車載機、USBケーブル、及びUSB機器が適用されるシステムを示すブロック図である。
【図９】一実施例に従った車載機、USBケーブル、及びUSB機器が適用されるシステムを示すブロック図である。
【図１０】一実施例に従った車載機の動作を示すフローチャートである。
【図１１】一実施例に従った車載機、USBケーブル、及びUSB機器が適用されるシステムを示すブロック図である。
【発明を実施するための形態】
【００２１】
次に、本発明を実施するための形態を、以下の実施例に基づき図面を参照しつつ説明する。
なお、実施例を説明するための全図において、同一機能を有するものは同一符号を用い、繰り返しの説明は省略する。
【００２２】
＜第１の実施例＞
＜システム＞
図１は、本実施例に従った車載機と、USBケーブルと、USB機器とが適用されるシステムを示す機能ブロック図である。本実施例では、一例として、車載機と、該車載機にUSBケーブルを介して接続されるUSB機器との間の通信を制御する場合について説明するが、USBに限られず、車載機と、該車載機にケーブルを介して接続される機器との間の通信を制御する場合に適用できる。
【００２３】
本システムは、車載機１００と、USBケーブル２００と、USB機器３００とを有する。
【００２４】
車載機１００は、USB制御装置を有する。該USB制御装置は、コネクタ１０２と、電源１０４と、抵抗１０６と、ダイオード１０８と、マイコン１１０と、USBドライバ１１２と、可変電源１１４とを有する。
【００２５】
USBケーブル２００は、コネクタ２０２と、ケーブル長検知線２０４と、通信線(D+,D-)２０６と、電源線(VBUS)２０８と、USBコネクタ２１０とを有する。図１において、GND線は省略される。また、ID線が含まれるようにしてもよい。また、USBコネクタ２１０は、ケーブル長検知線２０４と接続され、他端が接地されたケーブル長検知用抵抗部品２１２を有する。
【００２６】
USBケーブルの最大の長さは、USB規格により規定されている。例えば、USB2.0では、5mに規定されている。従って、車載機１００とUSB機器３００との間を接続するUSBケーブル２００は5m以下で使用されるべきである。しかし、車両に車載機１００が設置される際に、コネクタ１０２とUSBドライバ１１２及び／又は可変電源１１４との間を接続するUSBケーブルが車両に組み込まれる場合がある。コネクタ１０２とUSBドライバ１１２及び／又は可変電源１１４との間を接続するUSBケーブルが車両に組み込まれる場合には、車載機１００に接続されるUSBケーブル２００の長さが5mであっても、コネクタ１０２とUSBドライバ１１２及び／又は可変電源１１４との間を接続するUSBケーブルの長さの分延長されることになるため、実質的には5mを超える。
【００２７】
本システムでは、車載機１００は、USBケーブルの長さを検出する。該USBケーブルの長さは、コネクタ１０２と接続され、他端がUSB機器３００と接続されるUSBケーブル２００の長さである。そして、車載機１００は、検出したUSBケーブル２００の長さに、コネクタ１０２とUSBドライバ１１２及び／又は可変電源１１４との間を接続するUSBケーブルの長さを加え、該合計長に基づいて、車載機１００とUSB機器３００との間の通信品質を確保するための制御を行う。本実施例では、車載機１００とUSB機器３００との間の通信品質を確保するための制御として、通信線２０６により送信される信号の増幅率及び／又は電源線２０８に供給される電源電圧を制御する例について説明する。しかし、通信線２０６により送信される信号の増幅率及び／又は電源線２０８に供給される電源電圧に限られず、車載機１００とUSB機器３００との間の通信品質を確保するために制御できるあらゆるパラメータの制御が可能である。
【００２８】
＜車載機＞
車載機１００について説明する。
【００２９】
コネクタ１０２は、USBケーブル２００が接続される。例えば、コネクタ１０２は、USB  A端子のメス端子であってもよい。該コネクタ１０２は、５本のピン(PIN)を有する。該ピンには、電源線２０８に接続されるピンと、通信線２０６に接続される２本のピンと、ケーブル長検知線２０４に接続されるピンと、GND（図示なし）に接続されるピンとが含まれる。
【００３０】
電源１０４は、電圧を印加する。該電源１０４は、抵抗１０６を介して、ダイオード１０８のアノード側と接続され、該ダイオード１０８のカソード側は、コネクタ１０２と接続される。該コネクタ１０２がUSBケーブル２００のコネクタ２０２と接続された場合、ダイオード１０８のカソード側とケーブル長検知線２０４とが接続される。
【００３１】
マイコン１１０は、ダイオード１０８のアノード側と接続される。マイコン１１０は、ダイオード１０８のアノード側の電圧を測定する。換言すれば、マイコン１１０は、ケーブル長検知線２０４と抵抗２１２に印加される電圧を測定する。そして、マイコン１１０は、該電圧に基づいて、USBケーブルの長さを判別する。
【００３２】
図２は、車載機１００のマイコン１１０の一例を示す機能ブロック図である。
【００３３】
マイコン１１０は、アナログ／デジタル変換器(A/D)１１０２と、USBケーブル長判別部１１０４と、記憶部１１０６とを有する。
【００３４】
A/D１１０２は、ダイオード１０８のアノード側と接続される。A/D１１０２は、該ダイオード１０８のアノード側の電圧値を取得し、デジタル値に変換する。A/D１１０２は、デジタル値に変換したダイオード１０８のアノード側の電圧値をUSBケーブル長判別部１１４に入力する。
【００３５】
電源１０４は、抵抗１０６を介して電圧を印加する。車載機１００とUSBケーブル２００とが接続されることにより、ダイオード１０８のカソード側に、ケーブル長検知線２０４を介して、一端が接地された抵抗２１２が接続される。該抵抗２１２の抵抗値は、USBケーブル２００のケーブル長に対応して設定される。車載機１００とUSBケーブル２００とが接続されると、ダイオード１０８のアノード側の電位は、抵抗２１２の抵抗値により変化する。従って、抵抗２１２の抵抗値とダイオード１０８のアノード側の電位（電圧値）とが対応付けられたテーブルを用意することにより、ダイオード１０８のアノード側の電位から抵抗２１２の抵抗値を求めることができる。抵抗２１２の抵抗値を求めることができるため、該抵抗２１２の抵抗値に対応するUSBケーブル２００のケーブル長を求めることができる。
【００３６】
記憶部１１６は、ダイオード１０８のアノード側の電位と抵抗２１２の抵抗値とが対応付けられたテーブルと、抵抗２１２の抵抗値とUSBケーブル２００のケーブル長とが対応付けられたテーブルとが格納される。両テーブルは１つのテーブルに統合されてもよい。１つのテーブルに統合される場合には、ダイオード１０８のアノード側の電位とUSBケーブル２００のケーブル長とが対応付けられたテーブルが格納される。
【００３７】
USBケーブル長判別部１１４は、記憶部１１６に格納されたテーブルを参照し、A/D１１０２により入力されたダイオード１０８のアノード側の電位に対応する抵抗２１２の抵抗値を求める。そして、USBケーブル長判別部１１４は、該抵抗２１２の抵抗値に対応するUSBケーブル２００のケーブル長を求める。USBケーブル長判別部１１４は、USBケーブル２００のケーブル長をUSBドライバ１１２及び可変電源１１４に入力する。
【００３８】
USBドライバ１１２は、USBケーブル２００に供給する信号の増幅率を制御する。USB2.0の規格では、通信モードとして、半二重伝送が適用される。半二重伝送では、双方向通信において、同時に双方からデータを送信したり、受信したりすることができず、時間を区切って片方向からの送信しかできない。
【００３９】
図３は、車載機１００により送信されるデータの信号波形の一例を示す。図３において、実線は補正処理前の波形である。換言すれば、車載機１００において増幅率を制御する前の波形である。図３において、破線は補正処理後の波形である。換言すれば、車載機１００において増幅率を制御した後の波形である。両波形は、USBコネクタ２１０において検出される波形である。
【００４０】
USBドライバ１１２は、マイコン１１０により入力されたUSBケーブル２００のケーブル長に基づいて、USBケーブル２００の通信線２０６において発生する送信信号の減衰量を推定する。USBドライバ１１２は、コネクタ１０２とUSBドライバ１１２及び／又は可変電源１１４との間を接続するUSBケーブルの長さをも含めて、USBケーブル２００の通信線２０６において発生する送信信号の減衰量を推定する。USBドライバ１１２は、データを送信する際には、該減衰量を補正するために増幅する。ケーブル長と送信信号に対する増幅率とが対応付けられたテーブルが用意されてもよい。USBドライバ１１２は、当該車載機１００に接続されたUSBケーブル２００のUSBコネクタ２１０において規格に規定される振幅となるように増幅する。例えば、USBドライバ１１２は、実線により示されるように減衰後の波形が推定される場合に、破線により示される波形となるように増幅する。
【００４１】
USBケーブル２００の材質（材料）によっては、通信線２０６において送信信号が減衰しても、USBコネクタ２１０において、規格に規定された振幅を満足する場合がある。USBコネクタ２１０において規格に規定された振幅を満足すると推定される場合には、USBドライバ１１２は、該減衰量を補正するための増幅を行わないようにしてもよい。必要に応じて増幅を行うことにより、消費電力を低減できる。
【００４２】
可変電源１１４は、USBケーブル２００の電源線２０８に供給する電圧を制御する。USB2.0の規格では、USB機器３００への供給電圧は5.0±0.25Vと規定されている。可変電源１１４は、電源線２０８だけでなく、USBコネクタ２１０、及びコネクタ１０２とUSBドライバ１１２及び／又は可変電源１１４との間を接続するUSBケーブルにおける電圧降下を推定する。可変電源１１４は、該電圧降下を補正するために電圧値を増加させる。ケーブル長と電源電圧の電圧値とが対応付けられたテーブルが用意されてもよい。可変電源１１４は、当該車載機１００に接続されたUSBケーブル２００のUSBコネクタ２１０において、規格に規定される電圧となるように供給する電圧を増加させる。可変電源１１４は、DC-DCコンバータなどを用いて昇圧を行うようにしてもよいし、レギュレータ型により昇圧を行うようにしてもよい。電源電圧を可変にできれば、いかなる種類の電源を適用できる。
【００４３】
USBケーブル２００の材質（材料）によっては、電源線２０８において電圧降下が生じても、USBコネクタ２１０において、規格に規定された電圧を満足する場合がある。USBコネクタ２１０において規格に規定された電圧を満足すると推定される場合には、可変電源１１４は、該電圧降下を補償するための電圧の増加を行わないようにしてもよい。必要に応じて電源電圧の制御を行うことにより、消費電力を低減できる。
【００４４】
図４は、車載機における電源電圧の設定例を示す。図４において、実線は従来における電圧線に供給される電圧と、該電圧が電圧降下によりUSBコネクタ２１０において規格を満たさなくなる例を示す。図４において、破線は本実施例における電圧線に供給される電圧と、該電圧が電圧降下により低下してもUSBコネクタ２１０において規格を満たす例を示す。
【００４５】
従来は、図４の実線で示されるように、車載機１００において電源ケーブルに供給される電源電圧は5Vに設定される。5Vに設定された電源電圧は電圧降下（図４において、（１）により示す）のため、USBコネクタ２１０では、USB規格に規定される5.0±0.25Vを満足しない。5.0V-0.25V=4.75V未満に降下する。
【００４６】
一方、図４の破線で示されるように、本実施例では、USBコネクタ２１０において規格を満足するように、電源線２０８、及びコネクタ１０２とUSBドライバ１１２及び／又は可変電源１１４との間を接続するUSBケーブルの長さに基づいて電源電圧が制御されるため、電圧降下（図４において、（２）により示す）が生じても、USBコネクタ２１０ではUSB規格に規定される5.0±0.25Vを満足する。車載機１００において供給される電源電圧が5.0+0.25V=5.25Vを超えることもありうる。
【００４７】
＜USBケーブル＞
USBケーブル２００について説明する。
【００４８】
コネクタ２０２は、車載機１００が接続される。例えば、コネクタ２０２は、USB  A端子のオス端子であってもよい。該コネクタ２０２は、コネクタ１０２に対応して、５本のピン(PIN)を有する。該ピンには、電源線２０８に接続されるピンと、通信線２０６に接続される２本のピンと、ケーブル長検知線２０４に接続されるピンと、GND（図示なし）に接続されるピンとが含まれる。
【００４９】
ケーブル長検知線２０４は、車載機１００が、当該USBケーブル２００のケーブル長を検知する際に使用される電線である。該ケーブル長検知線２０４のコネクタ２０２とは反対側の他端には抵抗２１２が接続される。ケーブル長検知線２０４は、該ケーブル長検知線２０４の長さが変化しても、抵抗値の変化が小さい材質であるのが好ましい。長さの変化による抵抗値の変化が小さい材質によりケーブル長検知線２０４を構成することにより、ケーブル長検知線２０４に印加される電圧を小さくできる。ケーブル長検知線２０４に印加される電圧を小さくできるため、抵抗２１２に印加される電圧の検出誤差を小さくできる。抵抗２１２に印加される電圧の検出誤差を小さくできるため、該抵抗２１２に印加される電圧により検出されるケーブル長の検出誤差を小さくできる。USBケーブル２００が車載機１００に接続されると、電源１０４により、抵抗１０６及び抵抗２１２に対して、電圧が印加される。マイコン１１０は、抵抗２１２に印加された電圧を検出することにより、USBケーブル２００の長さを検出する。
【００５０】
通信線２０６は、信号の転送に使用される信号送信線である。該通信線２０６には、差動対(D+)と差動対(D-)が含まれる。
【００５１】
電源線２０８は、USB機器３００に電源を供給するための電線である。
【００５２】
USBコネクタ２１０は、USB機器３００と接続される。USBコネクタ２１０は、例えば、USB  A端子のメス端子であってもよい。該USBコネクタ２１２は、４本のピン(PIN)を有する。該ピンには、電源線２０８に接続されるピンと、通信線２０６に接続される２本のピンと、GND（図示なし）に接続されるピンとが含まれる。
【００５３】
抵抗２１２は、USBケーブル長検知線２０４の長さに対応する抵抗値を有する抵抗により構成される。該抵抗２１２は、USBコネクタ２１０と一体となるように構成される。
【００５４】
USB機器３００は、USBで接続される機器であればその種類は問わない。例えば、携帯型デジタル音楽プレイヤー、USBメモリ、USBにより接続されるハードディスク（HD:  Hard  Disk）が含まれる。
【００５５】
＜本システムの動作＞
図５は、本システムの動作を示す。図５では、本車載機１００に搭載されたUSB制御装置における動作が主に説明される。
【００５６】
車載機１００とUSBケーブル２００とが接続される（ステップＳ５０２）。車載機１００のコネクタ１０２とUSBケーブル２００のコネクタ２０２とが接続される。
【００５７】
車載機１００は、当該車載機１００に接続されたUSBケーブル２００のケーブル長を検出する（ステップＳ５０４）。車載機１００にUSBケーブル２００が接続されると、電源１０４は、抵抗１０６と抵抗２１２との間に、電圧を印加する。A/D１１０２は、ダイオード１０８のアノード側の電圧値をデジタル値に変換する。該電圧値に対応するUSBケーブル２００のケーブル長が、USBケーブル長判別部１１０４において取得される。
【００５８】
車載機１００は、通信線２０６により送信される信号の増幅率を制御する（ステップＳ５０６）。USBドライバ１１２は、ステップＳ５０４により検出されたケーブル長に基づいて、コネクタ１０２とUSBドライバ１１２及び／又は可変電源１１４との間を接続するUSBケーブルの長さをも加えたケーブル長を求める。そして、該ケーブル長の合計長に基づいて、送信信号の減衰量を推定する。USBドライバ１１２は、該減衰量を補正するために必要な増幅率を求める。USBドライバ１１２は、該増幅率に従って、必要に応じて通信線２０６により送信される信号の増幅率を制御する。
【００５９】
車載機１００は、電源線２０８により供給される電源電圧を制御する（ステップＳ５０８）。可変電源１１４は、ステップＳ５０４により検出されたケーブル長に基づいて、コネクタ１０２とUSBドライバ１１２及び／又は可変電源１１４との間を接続するUSBケーブルの長さをも加えたケーブル長を求める。そして、該ケーブル長の合計長に基づいて、電圧降下を推定する。可変電源１１４は、該電圧降下を補償するために必要な電圧値を求める。可変電源１１４は、該電圧値に従って、電源線２０８により供給される電源電圧を制御する。
【００６０】
ステップＳ５０８の後、車載機１００からUSB機器３００に電源電圧が供給され、車載機１００とUSB機器３００との間でデータの送受信が行われる。
【００６１】
本動作フローにおいて、ステップＳ５０６の処理とステップＳ５０８の処理は逆であってもよいし、同時に行われるようにしてもよい。
【００６２】
ステップＳ５０６において、USBドライバ１１２は、ケーブル長と増幅率との対応を示すテーブルを参照して、増幅率を設定するようにしてもよい。
【００６３】
ステップＳ５０８において、可変電源１１４は、ケーブル長と電圧値との対応を示すテーブルを参照して、電源電圧を設定するようにしてもよい。
【００６４】
USBケーブルにおける伝送特性は、該USBケーブルの製造会社により異なることも想定される。例えば、USBケーブルの長さに対応する抵抗２１２の抵抗値が製造会社により異なることも想定される。抵抗２１２の抵抗値が製造会社により異なる場合に、製造会社を識別するために、抵抗２１２を複数の抵抗により構成し、該複数の抵抗の組み合わせにより製造会社を識別するようにしてもよい。例えば、ケーブル長検出用の第１の抵抗と、各製造会社識別用の第２の抵抗とを有するようにしてもよい。第１の抵抗と第２の抵抗とは並列に接続されてもよい。製造会社を識別できるようにした場合、記憶部１１０６には、製造会社毎に、ダイオード１０８のアノード側の電位と抵抗２１２の抵抗値とが対応付けられたテーブルと、抵抗２１２の抵抗値とUSBケーブル２００のケーブル長とが対応付けられたテーブルとが格納される。両テーブルは１つのテーブルに統合されてもよい。１つのテーブルに統合される場合には、ダイオード１０８のアノード側の電位とUSBケーブル２００のケーブル長とが対応付けられたテーブルが格納される。また、USBケーブルにおける伝送特性は、該USBケーブルの材質により異なることも想定される。材質毎に、USBケーブル２００のケーブル長が設定されてもよい。
【００６５】
上述した実施例において、電源電圧及び／又は増幅率はマイコン１１０において設定されるようにしてもよい。
【００６６】
本実施例によれば、USBケーブルの長さが規格により規定される長さを超える場合であっても、該USBケーブルにおける電圧降下を補償するように、必要に応じて電源線２０８に供給する電源電圧を制御することができる。USBケーブルにおける電圧降下を補償するように電源電圧を制御することができるため、車載機１００とUSB機器３００との間の通信品質を改善できる。
【００６７】
本実施例によれば、USBケーブルの長さが規格により規定される長さを超える場合であっても、該USBケーブルの通信線における送信信号の減衰を補償するように、必要に応じて送信信号の増幅率を制御することができる。USBケーブルの通信線における送信信号の減衰を補償するように送信信号の増幅率を制御することができるため、車載機とUSB機器との間の通信品質を改善できる。
【００６８】
本実施例によれば、ケーブル長検知線２０４と抵抗２１２とが対応付けられているため、ケーブル長を可変にできる。そして、車載機１００にケーブル長を認識させることができる。
【００６９】
＜変形例＞
＜システム＞
図６は、本変形例に従った車載機と、USBケーブルと、USB機器とが適用されるシステムを示す機能ブロック図である。
【００７０】
本システムは、車載機１００と、USBケーブル２００と、USB機器３００とを有する。
【００７１】
本車載機１００は、第１の実施例において説明した車載機と、複数のコネクタを有する点で異なる。図６には、一例として、３個のコネクタ１０２１、１０２２、及び１０２３が示される。コネクタ１０２の数は２個であってもよいし、４個以上であってもよい。
【００７２】
図６には、１本のUSBケーブル２００が描かれているが、２本であってもよいし、３本であってもよい。車載機１００の有するコネクタ１０２の数以下のUSBケーブル２００を使用できる。該USBケーブル２００には、それぞれUSB機器３００が接続される。
【００７３】
本車載機１００は、複数のコネクタ１０２を順次切り替えて制御を行う。本車載機１００は、コネクタ１０２１、１０２２、及び１０２３それぞれに接続されるUSBケーブル２００の通信線２０６により送信される信号の増幅率及び／又は電源線２０８に供給される電源電圧を順に制御する。例えば、コネクタ１０２１に接続されるUSBケーブル２００は運転席用、コネクタ１０２２に接続されるUSBケーブル２００は助手席用、コネクタ１０２３に接続されるUSBケーブル２００には後部座席用としてもよい。例えば、運転席用のUSBケーブル２００のUSBコネクタ２１０には運転手の有するUSB機器３００が接続され、助手席用のUSBケーブル２００のUSBコネクタ２１０には助手席の人の有するUSB機器３００が接続され、後部座席用のUSBケーブル２００のUSBコネクタ２１０には後部座席の人の有するUSB機器３００が接続される。
【００７４】
車載機１００が設置される位置から運転席、助手席、及び後部座席までの距離は、それぞれ異なるため、車載機１００のコネクタ１０２１、１０２２、及び１０２３に、それぞれに接続されるUSBケーブル２００の長さも異なる。
【００７５】
マイコン１１０は、第１の実施例において説明した方法により、USBケーブル２００のケーブル長を順次検出する。マイコン１１０は、USBケーブル２００が接続されたコネクタ１０２（１０２１、１０２２、１０２３）に接続されたダイオード１０８（１０８１、１０８２、１０８３）のアノード側の電位を測定することにより、該コネクタに接続されたUSBケーブル２００のケーブル長を検出する。車載機１００にUSBケーブル２００が同時に接続された場合には、所定の順番で順次切り替えて各コネクタ１０２（１０２１、１０２２、１０２３）に接続されたダイオードのアノード側の電位を測定する。マイコン１１０は、検出したUSBケーブル２００の長さを示す情報をUSBドライバ１１２及び可変電源１１４に入力する。
【００７６】
USBドライバ１１２は、所定の順番で順次切り替えて、各コネクタ１０２（１０２１、１０２２、１０２３）に接続されたUSBケーブル２００に供給する信号の増幅率を制御する。
【００７７】
可変電源１１４は、所定の順番で順次切り替えて、各コネクタ１０２（１０２１、１０２２、１０２３）に接続されたUSBケーブル２００に供給する電源電圧を制御する。
【００７８】
本変形例によれば、複数のUSB機器３００との間で、通信を行うことができる。
【００７９】
本変形例によれば、複数のUSBケーブルの長さが異なり、さらに該長さが規格により規定される長さを超える場合であっても、該複数のUSBケーブルにおける電圧降下を補償するように、必要に応じて電源線２０８に供給する電源電圧を制御することができる。複数のUSBケーブルにおける電圧降下を補償するように電源電圧を制御することができるため、車載機１００とUSB機器３００との間の通信品質を改善できる。
【００８０】
本変形例によれば、複数のUSBケーブルの長さが異なり、さらに該長さが規格により規定される長さを超える場合であっても、該複数のUSBケーブルの通信線における送信信号の減衰を補償するように、必要に応じて送信信号の増幅率を制御することができる。複数のUSBケーブルの通信線における送信信号の減衰を補償するように送信信号の増幅率を制御することができるため、車載機１００とUSB機器３００との間の通信品質を改善できる。
【００８１】
本変形例によれば、ケーブル長検知線２０４と抵抗２１２とが対応付けられているため、ケーブル長を可変にできる。そして、車載機１００にケーブル長を認識させることができる。
【００８２】
＜第２の実施例＞
＜システム＞
図７は、本実施例に従った車載機と、USBケーブルと、USB機器とが適用されるシステムを示す機能ブロック図である。
【００８３】
本システムは、第１の実施例において説明したシステムと同様であるが、USBケーブル２００が、ケーブル長検知線２０４及び抵抗２１２の代わりにケーブル長検知用抵抗線２１４を有する点が異なる。
【００８４】
ケーブル長検知用抵抗線２１４は、車載機１００が、当該USBケーブル２００のケーブル長を検知する際に使用される抵抗線である。ケーブル長検知用抵抗線２１４は、該ケーブル長検知用抵抗線２１４の長さに対応した抵抗値を有する。ケーブル長検知用抵抗線２１４は、該ケーブル長検知用抵抗線２０４の長さによって抵抗値が変化する材質（材料）のものであるのが好ましい。長さによって抵抗値が変化する材質によりケーブル長検知用抵抗線２１４を構成することにより、電源１０４によりケーブル長検知用抵抗線２１４に印加される電圧によって、ケーブル長検知用抵抗線２１４の長さを検出できる。USBケーブル２００が車載機１００に接続されると、電源１０４により、抵抗１０６及びケーブル長検知用抵抗線２１４に対して、電圧が印加される。マイコン１１０は、ケーブル長検知用抵抗線２１４に印加された電圧を検出することにより、USBケーブル２００の長さを検出する。ケーブル長検知用抵抗線２１４の長さに対応した抵抗値を有するケーブル長検知用抵抗線が含まれるUSBケーブル２００を用意することにより、USBコネクタ２１０に抵抗を内蔵することなく、車載機１００において、ケーブル長を検出できる。
【００８５】
本車載機１００及び本USB機器２００は上述した第１の実施例と同様であるので、説明を省略する。
【００８６】
＜本システムの動作＞
本システムの動作は、図５に示される動作において、上述した第１の実施例とステップＳ５０４の処理が異なる。
【００８７】
ステップＳ５０４では、車載機１００は、当該車載機１００に接続されたUSBケーブル２００のケーブル長を検出する。車載機１００にUSBケーブル２００が接続されると、電源１０４は、抵抗１０６、及びケーブル長検知用抵抗線２１４に電源を印加する。A/D１１０２は、ダイオード１０８のアノード側の電圧値をデジタル値に変換する。該電圧値に対応するUSBケーブル２００のケーブル長が、USBケーブル長判別部１１４において取得される。
【００８８】
本実施例によれば、USBケーブルの長さが規格により規定される長さを超える場合であっても、該USBケーブルにおける電圧降下を補償するように、必要に応じて電源線２０８に供給する電源電圧を制御することができる。USBケーブルにおける電圧降下を補償するように電源電圧を制御することができるため、車載機１００とUSB機器３００との間の通信品質を改善できる。
【００８９】
本実施例によれば、USBケーブルの長さが規格により規定される長さを超える場合であっても、該USBケーブルの通信線２０６における送信信号の減衰を補償するように、必要に応じて送信信号の増幅率を制御することができる。USBケーブルの通信線における送信信号の減衰を補償するように送信信号の増幅率を制御することができるため、車載機１００とUSB機器３００との間の通信品質を改善できる。
【００９０】
本実施例によれば、ケーブル長検知用抵抗線２１４の抵抗値とケーブル長とが対応付けられているため、ケーブル長を可変にできる。そして、車載機１００にケーブル長を認識させることができる。
【００９１】
本実施例によれば、ケーブル長検知用抵抗線２１４の抵抗値により、ケーブル長が検知されるため、USBコネクタ２１０に抵抗を内蔵する必要がない。
【００９２】
＜変形例＞
＜システム＞
図８は、本変形例に従った車載機と、USBケーブルと、USB機器とが適用されるシステムを示す機能ブロック図である。
【００９３】
本システムは、車載機１００と、USBケーブル２００と、USB機器３００とを有する。
【００９４】
本車載機１００は、第２の実施例において説明した車載機と、複数のコネクタを有する点で異なる。図８には、一例として、３個のコネクタ１０２１、１０２２、及び１０２３が示される。コネクタの数は２個であってもよいし、４個以上であってもよい。
【００９５】
図８には、１本のUSBケーブル２００が描かれているが、２本であってもよいし、３本であってもよい。車載機１００の有するコネクタの数以下のUSBケーブル２００を使用できる。該USBケーブル２００には、それぞれUSB機器３００が接続される。
【００９６】
本USBケーブル２００は、第１の実施例の変形例に示したUSBケーブル２００と、ケーブル長検知線２０４及び抵抗２１２の代わりにケーブル長検知用抵抗線２１４を有する点が異なる。
【００９７】
ケーブル長検知用抵抗線２１４は、車載機１００が、当該USBケーブル２００のケーブル長を検知する際に使用される抵抗線である。ケーブル長検知用抵抗線２１４は、該ケーブル長検知用抵抗線２１４の長さに対応した抵抗値を有する。ケーブル長検知用抵抗線２１４は、該ケーブル長検知用抵抗線２１４の長さによって抵抗値が変化する材質（材料）のものであるのが好ましい。長さによって抵抗値が変化する材質によりケーブル長検知用抵抗線２１４を構成することにより、電源１０４によりケーブル長検知用抵抗線２１４に印加される電圧によって、ケーブル長検知用抵抗線２１４の長さを検出できる。USBケーブル２００が車載機１００に接続されると、電源１０４により、抵抗１０６及びケーブル長検知用抵抗線２１４に対して、電圧が印加される。マイコン１１０は、ケーブル長検知用抵抗線２１４に印加された電圧を検出することにより、USBケーブル２００の長さを検出する。
【００９８】
長さに対応した抵抗値を有するケーブル長検知用抵抗線２１４が含まれるUSBケーブル２００を用意することにより、USBコネクタ２１０に抵抗を内蔵することなく、車載機１００において、ケーブル長を検出できる。
【００９９】
本車載機１００及び本USB機器３００は上述した第１の実施例の変形例と同様であるので、説明を省略する。
【０１００】
本変形例によれば、複数のUSB機器３００との間で、データの転送を行うことができる。
【０１０１】
本変形例によれば、複数のUSBケーブルの長さが異なり、さらに該長さが規格により規定される長さを超える場合であっても、該複数のUSBケーブルにおける電圧降下を補償するように、必要に応じて電源線２０８に供給する電源電圧を制御することができる。複数のUSBケーブルにおける電圧降下を補償するように電源電圧を制御することができるため、車載機１００とUSB機器３００との間の通信品質を改善できる。
【０１０２】
本変形例によれば、複数のUSBケーブルの長さが異なり、さらに該長さが規格により規定される長さを超える場合であっても、該複数のUSBケーブルの通信線２０６における送信信号の減衰を補償するように、必要に応じて送信信号の増幅率を制御することができる。複数のUSBケーブルの通信線２０６における送信信号の減衰を補償するように送信信号の増幅率を制御することができるため、車載機１００とUSB機器３００との間の通信品質を改善できる。
【０１０３】
本実施例によれば、ケーブル長検知用抵抗線２１４の抵抗値とケーブル長とが対応付けられているため、ケーブル長を可変にできる。そして、車載機１００にケーブル長を認識させることができる。
【０１０４】
本変形例によれば、抵抗を含むケーブル長検知用抵抗線２１４の抵抗値により、ケーブル長が検知されるため、USBコネクタ２１０に抵抗を内蔵する必要がない。
【０１０５】
＜第３の実施例＞
＜システム＞
図９は、本実施例に従った車載機と、USBケーブルと、USB機器とが適用されるシステムを示す機能ブロック図である。
【０１０６】
本システムは、第１及び第２の実施例において説明したシステムと車載機１００及びUSBケーブル２００の構成が異なる。
【０１０７】
本システムでは、車載機１００に接続されるUSBケーブル２００のケーブル長は、予め設定された長さのものに制限される。該USBケーブル２００のケーブル長の設定は変更可能である。USBケーブル２００のケーブル長を設定できることにより、USBケーブル２００のケーブル長を検出するための線を不要にできる。
【０１０８】
本車載機１００は、第１の実施例において説明した車載機と、電源１０４、抵抗１０６、及びダイオード１０８の代わりにケーブル長設定部１１６を有する点で異なる。
【０１０９】
ケーブル長設定部１１６は、マイコン１０６と接続され、当該車載機１００に接続すべきUSBケーブル２００のケーブル長を設定する。ユーザにより設定できるようにしてもよい。マイコン１０６は、ケーブル長設定部１１６により設定されたケーブル長をUSBドライバ１０８及び可変電源１１０に入力する。USBドライバ１０８及び可変電源１１０による処理は上述した実施例と同様であるため説明を省略する。
【０１１０】
＜本システムの動作＞
図１０は、本システムの動作を示す。
【０１１１】
車載機１００とUSBケーブル２００とが接続される（ステップＳ１００２）。車載機１００のコネクタ１０２とUSBケーブル２００のコネクタ２０２とが接続される。
【０１１２】
車載機１００は、当該車載機１００に設定されたUSBケーブルのケーブル長に基づいて、通信線２０６により送信される信号の増幅率を制御する（ステップＳ１００４）。マイコン１１０は、ケーブル長設定部１１６により設定されたケーブル長をUSBドライバ１１２及び可変電源１１４に入力する。USBドライバ１１２は、マイコン１１０により入力されたUSBケーブルのケーブル長に基づいて、コネクタ１０２とUSBドライバ１１２及び／又は可変電源１１４との間を接続するUSBケーブルの長さをも加えたケーブル長を求める。そして、該ケーブル長の合計値に基づいて、送信信号の減衰量を推定する。USBドライバ１１２は、該減衰量を補正するために必要な増幅率を求める。USBドライバ１１２は、該増幅率に従って、必要に応じて通信線２０６により送信される信号の増幅率を制御する。
【０１１３】
車載機１００は、当該車載機１００に設定されたUSBケーブルのケーブル長に基づいて、電源線２０８により供給される電源電圧を制御する（ステップＳ１００６）。可変電源１１４は、マイコン１１０により入力されたUSBケーブルのケーブル長に基づいて、コネクタ１０２とUSBドライバ１１２及び／又は可変電源１１４との間を接続するUSBケーブルの長さをも加えたケーブル長を求める。そして、該ケーブル長の合計値に基づいて、電圧降下を推定する。可変電源１１４は、該電圧降下を補償するために必要な電圧値を求める。可変電源１１４は、該電圧値に従って、電源線２０８により供給される電源電圧を制御する。
【０１１４】
ステップＳ１００６の後、車載機１００からUSB機器３００に電源電圧が供給され、車載機１００とUSB機器３００との間でデータの送受信が行われる。
【０１１５】
本動作フローにおいて、ステップＳ１００４の処理とステップＳ１００６の処理は逆であってもよいし、同時に行われるようにしてもよい。
【０１１６】
ステップＳ１００４において、USBドライバ１１２は、ケーブル長と増幅率との対応を示すテーブルを参照して、増幅率を設定するようにしてもよい。
【０１１７】
ステップＳ１００６において、可変電源１１４は、ケーブル長と電圧値との対応を示すテーブルを参照して、電源電圧を設定するようにしてもよい。
【０１１８】
USBケーブルにおける伝送特性は、該USBケーブルの製造会社により異なることも想定される。製造会社毎に、USBケーブル２００のケーブル長が設定されてもよい。また、USBケーブルにおける伝送特性は、該USBケーブルの材質により異なることも想定される。材質毎に、USBケーブル２００のケーブル長が設定されてもよい。
【０１１９】
本実施例によれば、USBケーブルの長さが規格により規定される長さを超える場合であっても、該USBケーブルにおける電圧降下を補償するように、必要に応じて電源線２０８に供給する電源電圧を制御することができる。USBケーブルにおける電圧降下を補償するように電源電圧を制御することができるため、車載機１００とUSB機器３００との間の通信品質を改善できる。
【０１２０】
本実施例によれば、USBケーブルの長さが規格により規定される長さを超える場合であっても、該USBケーブルの通信線２０６における送信信号の減衰を補償するように、必要に応じて送信信号の増幅率を制御することができる。USBケーブルの通信線２０６における送信信号の減衰を補償するように送信信号の増幅率を制御することができるため、車載機１００とUSB機器３００との間の通信品質を改善できる。
【０１２１】
本実施例によれば、USBケーブルのケーブル長が設定されるため、USBケーブルにケーブル長検知線２０４又はケーブル長検知抵抗線２１４を設ける必要がない。USBケーブルにケーブル長検知線２０４又はケーブル長検知抵抗線２１４を設ける必要がないため、これまでのUSBケーブルを使用できる。
【０１２２】
＜変形例＞
＜システム＞
図１１は、本変形例に従った車載機と、USBケーブルと、USB機器とが適用されるシステムを示す機能ブロック図である。
【０１２３】
本システムは、車載機１００と、USBケーブル２００と、USB機器３００とを有する。
【０１２４】
本車載機１００は、第３の実施例において説明した車載機と、複数のコネクタを有する点で異なる。図１１には、一例として、３個のコネクタ１０２１、１０２２、及び１０２３が示される。コネクタの数は２個であってもよいし、４個以上であってもよい。
【０１２５】
図１１には、１本のUSBケーブル２００が描かれているが、２本であってもよいし、３本であってもよい。車載機１００の有するコネクタの数以下のUSBケーブル２００を使用できる。該USBケーブル２００には、それぞれUSB機器３００が接続される。
【０１２６】
本車載機１００は、第１の実施例の変形例において説明した車載機と、電源１０４、抵抗１０６、及びダイオード１０８の代わりにケーブル長設定部１１６を有する点で異なる。
【０１２７】
ケーブル長設定部１１６は、マイコン１１０と接続され、コネクタ１０２毎に、当該車載機１００に接続すべきUSBケーブル２００のケーブル長を設定する。マイコン１１０は、コネクタ１０２毎に、ケーブル長設定部１１６により設定されたケーブル長をUSBドライバ１１２及び可変電源１１４に入力する。USBドライバ１１２及び可変電源１１４による処理は上述した第３の実施例と同様であるため説明を省略する。
【０１２８】
本変形例によれば、複数のUSB機器３００との間で、データの転送を行うことができる。
【０１２９】
本変形例によれば、複数のUSBケーブルの長さが異なり、さらに該長さが規格により規定される長さを超える場合であっても、該複数のUSBケーブルにおける電圧降下を補償するように、必要に応じて電源線２０８に供給される電源電圧を制御することができる。複数のUSBケーブルにおける電圧降下を補償するように電源電圧を制御することができるため、車載機１００とUSB機器３００との間の通信品質を改善できる。
【０１３０】
本変形例によれば、複数のUSBケーブルの長さが異なり、さらに該長さが規格により規定される長さを超える場合であっても、該複数のUSBケーブルの通信線２０６における送信信号の減衰を補償するように、必要に応じて送信信号の増幅率を制御することができる。複数のUSBケーブルの通信線における送信信号の減衰を補償するように送信信号の増幅率を制御することができるため、車載機１００とUSB機器３００との間の通信品質を改善できる。
【０１３１】
本変形例によれば、USBケーブルのケーブル長が設定されるため、USBケーブルにケーブル長検知線２０４又はケーブル長検知抵抗線２１４を設ける必要がない。USBケーブルにケーブル長検知線２０４又はケーブル長検知抵抗線２１４を設ける必要がないため、これまでのUSBケーブルを使用できる。
【０１３２】
上述した実施例及び変形例によれば、車載機と、該車載機にケーブルを介して接続される機器との間の通信を制御する制御装置が提供される。該制御装置は、ケーブルの長さを検出するケーブル長判別部１１０４としてのケーブル長検出部と、該ケーブル長検出部により検出されたケーブルの長さに基づいて、前記車載機と前記機器との間の通信品質を確保するための制御を行うUSBドライバー１１２及び可変電源１１４としての通信制御部とを有する。
【０１３３】
ケーブル長検出部を有することにより、当該制御装置が搭載された車載機１００にケーブル２００のケーブル長を検出させることができる。通信制御部を有することにより、車載機１００とUSB機器３００との間の通信品質を確保することができる。例えば、通信制御部は、ケーブルの電源線に供給する電源電圧の電圧降下の補償及び／又はケーブルの信号線により送信される信号の減衰の補償を行うことができる。
【０１３４】
さらに、前記通信制御部は、前記ケーブル長検出部により検出されたケーブルの長さに基づいて、該ケーブルの電源線に供給する電源電圧を変更することにより、前記機器に接続されるコネクタにおける電源電圧を制御する可変電源１１４としての電源電圧制御部を有する。
【０１３５】
電源電圧制御部を有することにより、ケーブルの電源線に供給する電源電圧の電圧降下を補償できる。
【０１３６】
さらに、前記通信制御部は、前記ケーブル長検出部により検出されたケーブルの長さに基づいて、該ケーブルの通信線に供給する信号の増幅率を変更することにより、前記機器に接続されるコネクタにおける振幅を制御する増幅率制御部を有する
増幅率制御部を有することにより、ケーブルの信号線により送信される信号の減衰を補償できる。
【０１３７】
さらに、前記電源電圧制御部は、前記ケーブル長検出部により検出されたケーブルの長さに当該制御装置内部のケーブルの長さを加えた長さが、規格を満足する所定の長さを超える場合に、前記ケーブルの電源線に供給する電源電圧を変更することにより、前記機器に接続されるコネクタにおける電源電圧を制御する。
【０１３８】
ケーブル長検出部により検出されたケーブルの長さに、当該制御装置内部のケーブルの長さを加えた長さが、規格を満足する所定の長さを超える場合に、前記ケーブルの電源線に供給する電源電圧を変更することにより、必要に応じて電源電圧を制御できる。
【０１３９】
さらに、前記増幅率制御部は、前記ケーブル長検出部により検出されたケーブルの長さに当該制御装置内部のケーブルの長さを加えた長さが、規格を満足する所定の長さを超える場合に、該ケーブルの通信線に供給する信号の増幅率を変更することにより、前記機器に接続されるコネクタにおける振幅を制御する。
【０１４０】
前記ケーブル長検出部により検出されたケーブルの長さに、当該制御装置内部のケーブルの長さを加えた長さが、規格を満足する所定の長さを超える場合に、該ケーブルの通信線に供給する信号の増幅率を変更することにより、必要に応じて増幅率を制御できる。
【０１４１】
さらに、前記ケーブルは、該ケーブルの長さを検出するための検知線と、該検知線と接続され他端が接地された該ケーブルの長さに対応した抵抗値を有する抵抗とを有する。そして、当該制御装置は、前記抵抗に電圧を印加する電源と、該電源に接続され、他端が前記検知線に接続される第２の抵抗と、前記電源により電圧が印加された場合に、前記抵抗に印加される電圧を測定する電圧測定部と、前記抵抗に印加される電圧の値と、ケーブルの長さとの対応を示すテーブルとを有する。前記ケーブル長検出部は、前記テーブルを参照し、前記電圧測定部により測定された前記抵抗に印加される電圧に対応するケーブルの長さを求めることにより、ケーブルの長さを検出する。
【０１４２】
該構成により、電圧測定部により測定された抵抗に印加される電圧に対応するケーブルの長さを求めることにより、ケーブルの長さを検出することができる。
【０１４３】
さらに、前記ケーブルは、該ケーブルの長さを検出するための検知線を有し、該検知線は該ケーブルの長さに対応した抵抗値を有する。そして、当該制御装置は、前記検知線に電圧を印加する電源と、該電源に接続され、他端が前記検知線に接続される第２の抵抗と、前記電源により電圧が印加された場合に、前記検知線に印加される電圧を測定する電圧測定部と、前記検知線に印加される電圧の値と、ケーブルの長さとの対応を示すテーブルとを有する。前記ケーブル長検出部は、前記テーブルを参照し、前記電圧測定部により測定された前記検知線に印加される電圧に対応するケーブルの長さを求めることにより、ケーブルの長さを検出する。
【０１４４】
該構成により、電圧測定部により測定された前記検知線に印加される電圧に対応するケーブルの長さを求めることにより、ケーブルの長さを検出することができる。
【０１４５】
上述した実施例及び変形例によれば、車載機と、該車載機にケーブルを介して接続される機器との間の通信を制御する制御装置が提供される。該制御装置は、ケーブルの長さを設定するケーブル長設定部と、該ケーブル長設定部により設定されたUSBケーブルの長さに基づいて、前記車載機と前記機器との間の通信品質を確保するための制御を行う通信制御部とを有する。
【０１４６】
ケーブル長設定部を有することにより、当該制御装置が搭載された車載機１００にケーブル２００のケーブル長を設定できる。通信制御部を有することにより、載機１００と機器との間の通信品質を確保することができる。例えば、通信制御部は、ケーブルの電源線に供給する電源電圧の電圧降下の補償及び／又はケーブルの信号線により送信される信号の減衰の補償を行うことができる。
【０１４７】
さらに、前記通信制御部は、前記ケーブル長設定部により設定されたケーブルの長さに基づいて、該ケーブルの電源線に供給する電源電圧を変更することにより、前記機器に接続されるコネクタにおける電源電圧を制御する電源電圧制御部を有する。
【０１４８】
電源電圧制御部を有することにより、ケーブルの電源線に供給する電源電圧の電圧降下を補償できる。
【０１４９】
さらに、前記通信制御部は、前記ケーブル長設定部により設定されたケーブルの長さに基づいて、該ケーブルの通信線に供給する信号の増幅率を変更することにより、前記機器に接続されるコネクタにおける振幅を制御する増幅率制御部を有する。
【０１５０】
増幅率制御部を有することにより、USBケーブルの信号線により送信される信号の減衰を補償できる。
【０１５１】
上述した実施例及び変形例によれば、上述した制御装置を有する車載機が提供される。
【０１５２】
上述した実施例及び変形例によれば、車載機と、該車載機に接続され他端が機器と接続されるケーブルとを有するシステムが提供される。前記ケーブルは、該ケーブルの長さを検出するための検知線と、該検知線と接続され他端が接地された該ケーブルの長さに対応した抵抗値を有する抵抗とを有する。前記車載機は、前記抵抗に電圧を印加する電源と、該電源に接続され、他端が前記検知線に接続される第２の抵抗と、前記電源により電圧が印加された場合に、前記抵抗に印加される電圧を測定する電圧測定部と、前記抵抗に印加される電圧の値と、ケーブルの長さとの対応を示すテーブルと、ケーブルの長さを検出するケーブル長検出部と、該ケーブル長検出部により検出されたケーブルの長さに基づいて、前記車載機と前記機器との間の通信品質を確保するための制御を行う通信制御部とを有する。前記ケーブル長検出部は、前記テーブルを参照し、前記電圧測定部により測定された前記抵抗に印加される電圧に対応するケーブルの長さを求めることにより、ケーブルの長さを検出する。
【０１５３】
該構成により、電圧測定部により測定された前記抵抗に印加される電圧に対応するケーブルの長さを求めることにより、ケーブルの長さを検出することができる。
通信制御部を有することにより、車載機１００と機器との間の通信品質を確保することができる。例えば、通信制御部は、ケーブルの電源線に供給する電源電圧の電圧降下の補償及び／又はケーブルの信号線により送信される信号の減衰の補償を行うことができる。
【０１５４】
上述した実施例及び変形例によれば、車載機と、該車載機に接続され他端が機器と接続されるケーブルとを有するシステムが提供される。前記ケーブルは、該ケーブルの長さを検出するための検知線を有し、該検知線は該ケーブルの長さに対応した抵抗値を有する。前記車載機は、前記検知線に電圧を印加する電源と、該電源に接続され、他端が前記検知線に接続される第２の抵抗と、前記電源により電圧が印加された場合に、前記検知線に印加される電圧を測定する電圧測定部と、前記検知線に印加される電圧の値と、ケーブルの長さとの対応を示すテーブルと、ケーブルの長さを検出するケーブル長検出部と、該ケーブル長検出部により検出されたケーブルの長さに基づいて、前記車載機と前記機器との間の通信品質を確保するための制御を行う通信制御部とを有する。前記ケーブル長検出部は、前記テーブルを参照し、前記電圧測定部により測定された前記検知線に印加される電圧に対応するケーブルの長さを求めることにより、ケーブルの長さを検出する。
【０１５５】
該構成により、電圧測定部により測定された前記検知線に印加される電圧に対応するケーブルの長さを求めることにより、ケーブルの長さを検出することができる。
通信制御部を有することにより、車載機１００と機器との間の通信品質を確保することができる。例えば、通信制御部は、ケーブルの電源線に供給する電源電圧の電圧降下の補償及び／又はケーブルの信号線により送信される信号の減衰の補償を行うことができる。
【０１５６】
以上、本発明は特定の実施例及び変形例を参照しながら説明されてきたが、各実施例及び変形例は単なる例示に過ぎず、当業者は様々な変形例、修正例、代替例、置換例等を理解するであろう。説明の便宜上、本発明の実施例に従った装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【０１５７】
１００  車載機
１０２（１０２１、１０２２、１０２３）  コネクタ
１０４  電源
１０６  抵抗
１０８（１０８１、１０８２、１０８３）  ダイオード
１１０  マイコン
１１０２  アナログ／デジタル変換器(A/D)
１１０４  USBケーブル長判別部
１１０６  記憶部
１１２  USBドライバ
１１４  可変電源
１１６  ケーブル長設定部
２００  USBケーブル
２０２  コネクタ
２０４  ケーブル長検知線
２０６  信号線
２０８  電源線
２１０  USBコネクタ
２１２  抵抗
２１４  ケーブル長検知用抵抗線
３００  USB機器
【図１】
2010137114.tif 000003
【図２】
2010137114.tif 000004
【図３】
2010137114.tif 000005
【図４】
2010137114.tif 000006
【図５】
2010137114.tif 000007
【図６】
2010137114.tif 000008
【図７】
2010137114.tif 000009
【図８】
2010137114.tif 000010
【図９】
2010137114.tif 000011
【図１０】
2010137114.tif 000012
【図１１】
2010137114.tif 000013
【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
（削除）
【請求項２】
車載機と、該車載機にケーブルを介して接続される機器との間の通信を制御する制御装置であって、
ケーブルの長さを検出するケーブル長検出部と、
該ケーブル長検出部により検出されたケーブルの長さに基づいて、該ケーブルの電源線に供給する電源電圧を変更することにより、前記機器に接続されるコネクタにおける電源電圧を制御する電源電圧制御部と
を有する制御装置。
【請求項３】
車載機と、該車載機にケーブルを介して接続される機器との間の通信を制御する制御装置であって、
ケーブルの長さを検出するケーブル長検出部と、
該ケーブル長検出部により検出されたケーブルの長さに基づいて、該ケーブルの通信線に供給する信号の増幅率を変更することにより、前記機器に接続されるコネクタにおける振幅を制御する増幅率制御部と
を有する制御装置。
【請求項４】
請求項２に記載の制御装置において、
前記電源電圧制御部は、前記ケーブル長検出部により検出されたケーブルの長さに当該制御装置内部のケーブルの長さを加えた長さが、規格を満足する所定の長さを超える場合に、前記ケーブルの電源線に供給する電源電圧を変更することにより、前記機器に接続されるコネクタにおける電源電圧を制御する制御装置。
【請求項５】
請求項３に記載の制御装置において、
前記増幅率制御部は、前記ケーブル長検出部により検出されたケーブルの長さに当該制御装置内部のケーブルの長さを加えた長さが、規格を満足する所定の長さを超える場合に、該ケーブルの通信線に供給する信号の増幅率を変更することにより、前記機器に接続されるコネクタにおける振幅を制御する制御装置。
【請求項６】
車載機と、該車載機にケーブルを介して接続される機器との間の通信を制御する制御装置であって、
前記ケーブルは、該ケーブルの長さを検出するための検知線と、該検知線と接続され他端が接地された該ケーブルの長さに対応した抵抗値を有する抵抗とを有し、
当該制御装置は、
ケーブルの長さを検出するケーブル長検出部と、
該ケーブル長検出部により検出されたケーブルの長さに基づいて、前記車載機と前記機器との間の通信品質を確保するための制御を行う通信制御部と、
前記抵抗に電圧を印加する電源と、
該電源に接続され、他端が前記検知線に接続される第２の抵抗と、
前記電源により電圧が印加された場合に、前記抵抗に印加される電圧を測定する電圧測定部と、
前記抵抗に印加される電圧の値と、ケーブルの長さとの対応を示すテーブルと
を有し、
前記ケーブル長検出部は、前記テーブルを参照し、前記電圧測定部により測定された前記抵抗に印加される電圧に対応するケーブルの長さを求めることにより、ケーブルの長さを検出する制御装置。
【請求項７】
車載機と、該車載機にケーブルを介して接続される機器との間の通信を制御する制御装置であって、
前記ケーブルは、該ケーブルの長さを検出するための検知線を有し、該検知線は該ケーブルの長さに対応した抵抗値を有し、
当該制御装置は、
ケーブルの長さを検出するケーブル長検出部と、
該ケーブル長検出部により検出されたケーブルの長さに基づいて、前記車載機と前記機器との間の通信品質を確保するための制御を行う通信制御部と、
前記検知線に電圧を印加する電源と、
該電源に接続され、他端が前記検知線に接続される第２の抵抗と、
前記電源により電圧が印加された場合に、前記検知線に印加される電圧を測定する電圧測定部と、
前記検知線に印加される電圧の値と、ケーブルの長さとの対応を示すテーブルと
を有し、
前記ケーブル長検出部は、前記テーブルを参照し、前記電圧測定部により測定された前記検知線に印加される電圧に対応するケーブルの長さを求めることにより、ケーブルの長さを検出する制御装置。
【請求項８】
車載機と、該車載機にケーブルを介して接続される機器との間の通信を制御する制御装置であって、
ケーブルの長さを設定するケーブル長設定部と、
該ケーブル長設定部により設定されたケーブルの長さに基づいて、前記車載機と前記機器との間の通信品質を確保するための制御を行う通信制御部と
を有する制御装置。
【請求項９】
請求項８に記載の制御装置において、
前記通信制御部は、
前記ケーブル長設定部により設定されたケーブルの長さに基づいて、該ケーブルの電源線に供給する電源電圧を変更することにより、前記機器に接続されるコネクタにおける電源電圧を制御する電源電圧制御部
を有する制御装置。
【請求項１０】
請求項８に記載の制御装置において、
前記通信制御部は、
前記ケーブル長設定部により設定されたケーブルの長さに基づいて、該ケーブルの通信線に供給する信号の増幅率を変更することにより、前記機器に接続されるコネクタにおける振幅を制御する増幅率制御部
を有する制御装置。
【請求項１１】
請求項２、３、６、７、及び８のいずれか１項に記載の制御装置を有することを特徴とする車載機。
【請求項１２】
車載機と、該車載機に接続され他端が機器と接続されるケーブルとを有するシステムであって、
前記ケーブルは、
該ケーブルの長さを検出するための検知線と、
該検知線と接続され他端が接地された該ケーブルの長さに対応した抵抗値を有する抵抗と
を有し、
前記車載機は、
前記抵抗に電圧を印加する電源と、
該電源に接続され、他端が前記検知線に接続される第２の抵抗と、
前記電源により電圧が印加された場合に、前記抵抗に印加される電圧を測定する電圧測定部と、
前記抵抗に印加される電圧の値と、ケーブルの長さとの対応を示すテーブルと、
ケーブルの長さを検出するケーブル長検出部と、
該ケーブル長検出部により検出されたケーブルの長さに基づいて、前記車載機と前記機器との間の通信品質を確保するための制御を行う通信制御部と
を有し、
前記ケーブル長検出部は、前記テーブルを参照し、前記電圧測定部により測定された前記抵抗に印加される電圧に対応するケーブルの長さを求めることにより、ケーブルの長さを検出するシステム。
【請求項１３】
車載機と、該車載機に接続され他端が機器と接続されるケーブルとを有するシステムであって、
前記ケーブルは、
該ケーブルの長さを検出するための検知線
を有し、
該検知線は該ケーブルの長さに対応した抵抗値を有し、
前記車載機は、
前記検知線に電圧を印加する電源と、
該電源に接続され、他端が前記検知線に接続される第２の抵抗と、
前記電源により電圧が印加された場合に、前記検知線に印加される電圧を測定する電圧測定部と、
前記検知線に印加される電圧の値と、ケーブルの長さとの対応を示すテーブルと
ケーブルの長さを検出するケーブル長検出部と、
該ケーブル長検出部により検出されたケーブルの長さに基づいて、前記車載機と前記機器との間の通信品質を確保するための制御を行う通信制御部と
を有し、
前記ケーブル長検出部は、前記テーブルを参照し、前記電圧測定部により測定された前記検知線に印加される電圧に対応するケーブルの長さを求めることにより、ケーブルの長さを検出するシステム。
【請求項１４】
（削除）
【請求項１５】
車載機と、該車載機にケーブルを介して接続される機器との間の通信を制御する制御装置における方法であって、
ケーブルの長さを設定するケーブル長設定ステップと、
該ケーブル長設定ステップにより設定されたケーブルの長さに基づいて、前記車載機と前記機器との間の通信品質を確保するための制御を行う通信制御ステップと
を有する方法。
【手続補正２】
【補正対象書類名】明細書
【補正対象項目名】０００３
【補正方法】変更
【補正の内容】
【０００３】
車載機と、該車載機にケーブルを介して接続される機器との間の通信を制御する制御装置であって、
ケーブルの長さを検出するケーブル長検出部と、
該ケーブル長検出部により検出されたケーブルの長さに基づいて、該ケーブルの電源線に供給する電源電圧を変更することにより、前記機器に接続されるコネクタにおける電源電圧を制御する電源電圧制御部と
を有する。
本制御装置は、
車載機と、該車載機にケーブルを介して接続される機器との間の通信を制御する制御装置であって、
ケーブルの長さを検出するケーブル長検出部と、
該ケーブル長検出部により検出されたケーブルの長さに基づいて、該ケーブルの通信線に供給する信号の増幅率を変更することにより、前記機器に接続されるコネクタにおける振幅を制御する増幅率制御部と
を有する。
本制御装置は、
車載機と、該車載機にケーブルを介して接続される機器との間の通信を制御する制御装置であって、
前記ケーブルは、該ケーブルの長さを検出するための検知線と、該検知線と接続され他端が接地された該ケーブルの長さに対応した抵抗値を有する抵抗とを有し、
当該制御装置は、
ケーブルの長さを検出するケーブル長検出部と、
該ケーブル長検出部により検出されたケーブルの長さに基づいて、前記車載機と前記機器との間の通信品質を確保するための制御を行う通信制御部と、
前記抵抗に電圧を印加する電源と、
該電源に接続され、他端が前記検知線に接続される第２の抵抗と、
前記電源により電圧が印加された場合に、前記抵抗に印加される電圧を測定する電圧測定部と、
前記抵抗に印加される電圧の値と、ケーブルの長さとの対応を示すテーブルと
を有し、
前記ケーブル長検出部は、前記テーブルを参照し、前記電圧測定部により測定された前記抵抗に印加される電圧に対応するケーブルの長さを求めることにより、ケーブルの長さを検出する。
本制御装置は、
車載機と、該車載機にケーブルを介して接続される機器との間の通信を制御する制御装置であって、
前記ケーブルは、該ケーブルの長さを検出するための検知線を有し、該検知線は該ケーブルの長さに対応した抵抗値を有し、
当該制御装置は、
ケーブルの長さを検出するケーブル長検出部と、
該ケーブル長検出部により検出されたケーブルの長さに基づいて、前記車載機と前記機器との間の通信品質を確保するための制御を行う通信制御部と、
前記検知線に電圧を印加する電源と、
該電源に接続され、他端が前記検知線に接続される第２の抵抗と、
前記電源により電圧が印加された場合に、前記検知線に印加される電圧を測定する電圧測定部と、
前記検知線に印加される電圧の値と、ケーブルの長さとの対応を示すテーブルと
を有し、
前記ケーブル長検出部は、前記テーブルを参照し、前記電圧測定部により測定された前記検知線に印加される電圧に対応するケーブルの長さを求めることにより、ケーブルの長さを検出する。
［００１３］
本制御装置は、
車載機と、該車載機にケーブルを介して接続される機器との間の通信を制御する制御装置であって、
ケーブルの長さを設定するケーブル長設定部と、
該ケーブル長設定部により設定されたケーブルの長さに基づいて、前記車載機と前記機器との間の通信品質を確保するための制御を行う通信制御部と
を有する。
［００１４］
本車載機は、上記制御装置を有する。
［００１５］
本システムは、
車載機と、該車載機に接続され他端が機器と接続されるケーブルとを有するシステムであって、
前記ケーブルは、
該ケーブルの長さを検出するための検知線と、
該検知線と接続され他端が接地された該ケーブルの長さに対応した抵抗値を有する抵抗と
を有し、
前記車載機は、
前記抵抗に電圧を印加する電源と、
該電源に接続され、他端が前記検知線に接続される第２の抵抗と、
前記電源により電圧が印加された場合に、前記抵抗に印加される電圧を測定する電圧測定部と、
前記抵抗に印加される電圧の値と、ケーブルの長さとの対応を示すテーブ
【手続補正３】
【補正対象書類名】明細書
【補正対象項目名】０００５
【補正方法】変更
【補正の内容】
【０００５】
ことにより、ケーブルの長さを検出する。
［００１７］
［００１８］
本方法は、
車載機と、該車載機にケーブルを介して接続される機器との間の通信を制御する制御装置における方法であって、
ケーブルの長さを設定するケーブル長設定ステップと、
該ケーブル長設定ステップにより設定されたケーブルの長さに基づいて、前記車載機と前記機器との間の通信品質を確保するための制御を行う通信制御ステップと
を有する。
発明の効果
［００１９］
開示の制御装置、車載機及びシステム並びに方法によれば、制御ユニットと機器との間が最大伝送距離を超える場合においても、リピータ及び／又は昇圧器を必要とせずに、制御ユニットと機器との間の通信品質を確保できる。
図面の簡単な説明
［００２０］
［図１］一実施例に従った車載機、ＵＳＢケーブル、及びＵＳＢ機器が適用されるシステを示すブロック図である。
［図２］一実施例に従った車載機のマイコンを示す機能ブロック図である。
［図３］一実施例に従った車載機における送信信号の増幅率の制御を示す説明図である。
【国際調査報告】
2010137114.tif 000014
2010137114.tif 000015
2010137114.tif 000016
2010137114.tif 000017